(57)【要約】      （修正有）【課題】パイプの取付作業を簡易化でき、取付作業性を向上することが可能なパイプ取付部材及びパイプ取付構造を提供する。【解決手段】内壁１に設けられた開口１ａと外壁２に設けられた開口２ａとを繋ぐ通気用のパイプ２０のパイプ取付部材１０であって、柱３に取り付けられる柱用取付部１２と、内壁１に取り付けられる板状の内壁用取付部１１とを有する。内壁用取付部１１は、通気用の貫通穴１４と、貫通穴１４の周縁から外壁２側に延びる円筒状のパイプ挿入部１５とを有する。内壁用取付部１１の外壁２側の面には、パイプ挿入部１５とパイプ挿入部１５に挿入されるパイプ２０との境界部分に周状に接触するように環状ゴム部材５０を掛け渡すための複数の係止片１７Ｄが突設されている。【選択図】図１
0003157093.tif 000002
【実用新案登録請求の範囲】
【請求項１】
内壁（１）に設けられた開口（１ａ）と外壁（２）に設けられた開口（２ａ）とを繋ぐ通気用のパイプ（２０）のパイプ取付部材（１０）であって、
柱（３）に取り付けられる柱用取付部（１２）と、内壁（１）に取り付けられる板状の内壁用取付部（１１）とを有し、
前記内壁用取付部（１１）は、通気用の貫通穴（１４）と、該貫通穴（１４）の周縁から外壁（２）側に延びる円筒状のパイプ挿入部（１５）とを有し、前記内壁用取付部（１１）の外壁（２）側の面には、前記パイプ挿入部（１５）と前記パイプ挿入部（１５）に挿入されるパイプ（２０）との境界部分に周状に接触するように環状ゴム部材（５０）を掛け渡すための複数の係止片（１７Ａ、１７Ｂ、１７Ｃ、１７Ｄ）が突設されていることを特徴とするパイプ取付部材。
【請求項２】
前記内壁用取付部（１１）の前記内壁（１）側の面に、前記貫通穴（１４）を気密に塞ぐ気密シート（１８）が貼付されていることを特徴とする請求項１記載のパイプ取付部材。
【請求項３】
前記貫通穴（１４）を気密に塞ぐように前記内壁用取付部（１１）に貼付された気密シート（１８）上又は前記内壁用取付部（１１）に金属シート（１９）が貼付されていることを特徴とする請求項１記載のパイプ取付部材。
【請求項４】
請求項１乃至請求項３の何れかに記載のパイプ取付部材（１０）の前記パイプ挿入部（１５）にパイプ（２０）が挿入され、前記パイプ挿入部（１５）と前記パイプ（２０）との境界部分に周状に接触するように、環状ゴム部材（５０）が前記複数の係止片（１７Ａ、１７Ｂ、１７Ｃ、１７Ｄ）のうちの２箇所の係止片に掛け渡され、前記パイプ（２０）が前記パイプ取付部材（１０）の前記パイプ挿入部（１５）に対して回動不能に装着されていることを特徴とするパイプ取付構造。
【考案の詳細な説明】
【技術分野】
【０００１】
本考案は、室内と室外とを連通して室内の換気を行うための換気装置における通気パイプのパイプ取付部材及びパイプ取付構造に関する。
【背景技術】
【０００２】
従来より、この種の換気装置は、内壁の開口と外壁の開口とを繋ぐ通気用のパイプを備えており、パイプは、パイプの外周と内壁の開口と間の隙間を塞ぐように粘着テープを巻き付けることにより内壁に固定されている（例えば、特許文献１参照）。
【先行技術文献】
【特許文献】
【０００３】
【特許文献１】特開平５−７１６７２号公報（第２頁、図１）
【考案の概要】
【考案が解決しようとする課題】
【０００４】
上記特許文献１に記載の技術によれば、作業者が粘着テープをパイプの全周に渡って巻き付ける必要があり、パイプの取付作業に手間を要していた。
【０００５】
本考案は、上述のような課題を解決するためになされたものであり、パイプの取付作業を簡易化でき、取付作業性を向上することが可能なパイプ取付部材及びパイプ取付構造を提供するものである。
【課題を解決するための手段】
【０００６】
本考案に係るパイプ取付部材は、内壁（１）に設けられた開口（１ａ）と外壁（２）に設けられた開口（２ａ）とを繋ぐ通気用のパイプ（２０）のパイプ取付部材（１０）であって、柱（３）に取り付けられる柱用取付部（１２）と、内壁（１）に取り付けられる板状の内壁用取付部（１１）とを有し、内壁用取付部（１１）は、通気用の貫通穴（１４）と、貫通穴（１４）の周縁から外壁（２）側に延びる円筒状のパイプ挿入部（１５）とを有し、内壁用取付部（１１）の外壁（２）側の面には、パイプ挿入部（１５）とパイプ挿入部（１５）に挿入されるパイプ（２０）との境界部分に周状に接触するように環状ゴム部材（５０）を掛け渡すための複数の係止片（１７Ａ、１７Ｂ、１７Ｃ、１７Ｄ）が突設されているものである。
【０００７】
また、本考案に係るパイプ取付部材は、内壁用取付部（１１）の内壁（１）側の面に、貫通穴（１４）を気密に塞ぐ気密シート（１８）が貼付されているものである。
【０００８】
また、本考案に係るパイプ取付部材は、貫通穴（１４）を気密に塞ぐように内壁用取付部（１１）に貼付された気密シート（１８）上又は内壁用取付部（１１）に金属シート（１９）が貼付されているものである。
【０００９】
また、本考案に係るパイプ取付構造は、上記の何れかのパイプ取付部材（１０）のパイプ挿入部（１５）にパイプ（２０）が挿入され、パイプ挿入部（１５）とパイプ（２０）との境界部分に周状に接触するように、環状ゴム部材（５０）が複数の係止片（１７Ａ、１７Ｂ、１７Ｃ、１７Ｄ）のうちの２箇所の係止片に掛け渡され、パイプ（２０）がパイプ取付部材（１０）のパイプ挿入部（１５）に対して回動不能に装着されているものである。
【考案の効果】
【００１０】
本考案によれば、パイプ取付部材に複数の係止片を設けたので、単に環状ゴム部材を２箇所の係止片に掛け渡すだけでパイプ挿入部とパイプとを装着することが可能となる。よって、換気装置の設置業者による取付作業を簡易化することができる。
【００１１】
本考案によれば、内壁用取付部の内壁側の面に、貫通穴を気密に塞ぐ気密シートが貼付されているので、気密検査の際に貫通穴にガムテープを貼る等の従来必要であった作業が不要となり、気密検査時の手間を軽減することができる。
【００１２】
本考案によれば、気密シート又はパイプ取付部材に金属シートが貼付されているので、パイプの位置を内壁取付後の室内側から探知可能となり、パイプ位置に合わせて内壁に開口を形成する際の作業時間の短縮化及び作業者の手間軽減が可能となる。
【００１３】
本考案によれば、パイプ挿入部とパイプとの境界部分に周状に接触するように環状ゴム部材が係止片に掛け渡されているので、パイプがパイプ挿入部に対して強固に取り付けられ、パイプがパイプ挿入部に対して回動するのを防止することができる。よって、パイプがパイプ挿入部から抜け落ちるのを防止することができる。
【図面の簡単な説明】
【００１４】
【図１】一実施の形態に係るパイプ取付部材の取付状態を示す断面図である。
【図２】図１のパイプ取付部材の斜視図である。
【図３】図１のパイプ取付部材の正面図である。
【図４】図１のパイプ取付部材の背面図である。
【図５】図１のパイプ取付部材にパイプを取り付けた状態を示す斜視図である。
【図６】一実施の形態に係るパイプ取付部材の他の材料による構成例を示す図である。
【考案を実施するための形態】
【００１５】
実施の形態１．
図１は、一実施の形態に係るパイプ取付部材を有する換気装置の取付状態を示す断面図である。なお、図１におけるパイプ取付部材の部分は、図３のＡ−Ａ断面に相当する。図２は、図１のパイプ取付部材の斜視図である。図３は、図１のパイプ取付部材の正面図である。図４は、図１のパイプ取付部材の背面図である。図４は、図１のパイプ取付部材にパイプを取り付けた状態を示す斜視図である。
【００１６】
住戸等の建物の壁面には、室内１００の空気と室外２００の新鮮な外気との換気を行う換気装置が設置されている。換気装置は、内壁１の開口１ａと外壁２の開口２ａとを繋ぐ通気用のパイプ２０を有しており、このパイプ２０を介して室内１００と室外２００とが連通し、換気が行われる。
【００１７】
以下、本考案の要部であるパイプ取付部材１０及びパイプ取付構造の詳細な構造を説明するに先だって、換気装置の設置手順の概要について説明する。なお、換気装置の設置工事は、構造体である柱３が組み立てられた段階で行われる。
換気装置を設置する作業者は、建物の壁厚に応じて必要な長さに切断したパイプ２０をパイプ取付部材１０に対して後述するようにして簡単に装着する。なお、パイプ２０は、換気装置完成後の使用時に、パイプ２０内で凝縮した水が室外２００に排出されるように図１に示すように室内１００側から室外２００側に向けて下方に傾斜するように水勾配を付けてパイプ取付部材１０に装着される。
【００１８】
そして、パイプ２０が装着されたパイプ取付部材１０を柱３に対してネジ１３ａにより固定する。続いて、柱３に防水シート４を貼り付けた後、パイプ２０に対応する位置に開口２ａが貫通形成された外壁２を取り付ける。そして、外壁２の外側から排気ダクト４０をパイプ２０に接続する。
【００１９】
続いて、柱３に内壁１を取り付ける。内壁１には開口１ａがまだ形成されていない。このため、内壁１に開口１ａを室内１００側から形成する。なお、開口１ａは、パイプ２０の位置に合わせて形成する必要があるが、室内１００にいる作業者にはパイプ２０の位置が確認できない。しかし、作業者は、設計図面と後述の方法とにより室内１００側からパイプ２０の位置を簡単に特定し、パイプ２０の位置に合わせて内壁１に開口１ａを形成する。そして、内壁１にクロスを貼る等の内装を行った後、内壁１の開口１ａに換気口用の化粧パネル３０を取り付け、換気装置の設置が完了する。
【００２０】
ここで、化粧パネル３０は、化粧パネル本体３１と、化粧パネル本体３１に形成された通気口３２を開閉可能な開閉蓋３３とを有しており、開閉蓋３３にはフィルター３３ａが装着されている。化粧パネル本体３１は、内部が通気口３２となる筒状の円筒部３４と、円筒部３４の一端に形成されたフランジ部３５とを有し、円筒部３４を内壁１の開口１ａを介してパイプ２０内に内挿するとともに、フランジ部３５を内壁１の室内１００側に接触させ、ネジ３６を、フランジ部３５に設けた挿通穴３７及び内壁１を貫通させてパイプ取付部材１０のネジ穴１６ａにねじ留めすることにより内壁１に固定される。なお、ここでの固定方法は、ボルトとナットによる固定でももちろん良い。
【００２１】
次に、パイプ取付部材１０の構造について図２〜図４を参照して説明する。
パイプ取付部材１０は、内壁１の室外２００側に接触して内壁１に固定される矩形板状の内壁用取付部１１と、内壁用取付部１１の一辺に一体に形成され、柱３に固定される柱用取付部１２とを有しており、例えば樹脂で構成される。柱用取付部１２には、柱３への固定用のネジ１３ａが挿入される挿通孔１３が貫通形成されており、この挿通孔１３にネジ１３ａが挿通され、柱３に螺合されることによりパイプ取付部材１０が柱３に固定される。
【００２２】
また、内壁用取付部１１は、通気を行うための貫通穴１４と、貫通穴１４の周縁から外壁２側に延びる円筒状のパイプ挿入部１５とを有している。このパイプ挿入部１５内にパイプ２０が挿入されることになるが、パイプ２０は、上述したように水勾配を有するようにパイプ取付部材１０に装着する必要があることから、パイプ挿入部１５の軸方向の長さ及び内径は、パイプ２０を所望の水勾配で支持することが可能な寸法となっている。
【００２３】
また、内壁用取付部１１の外壁２側の面には、円筒状の複数（本例では４個）の突部１６が周状に等間隔に設置されている。この突部１６の内周面は、化粧パネル３０を内壁１に固定するためのネジ３６が螺合されるネジ穴１６ａとなっている。また、同様に内壁用取付部１１の外壁２側の面には、後述の環状ゴム部材５０を係止するための複数（本例では４個）の係止片１７Ａ〜１７Ｄ（以下、係止片１７と総称する場合がある）が突設されている。この例では、係止片１７をパイプ挿入部１５の中心を中心として９０度間隔で４個設置した例を示しているが、この配置位置及び個数に限られたものではなく、任意に設定可能である。
【００２４】
また、パイプ取付部材１０の内壁１側の面には、貫通穴１４を気密に塞ぐ気密シート１８（図４参照）が貼り付けられている。そして、気密シート１８の表面には更に、パイプ２０の位置を内壁１取付後の室内１００側から金属探知機で探知可能とするための例えばアルミシート等の金属シート１９が貼り付けられている。
【００２５】
以上のように構成されたパイプ取付部材１０に対しパイプ２０を取り付ける際の取付方法について図５を参照して説明する。まず、パイプ取付部材１０のパイプ挿入部１５にパイプ２０を挿入する。そして、環状ゴム部材５０をパイプ２０の上半円側を通過するようにして係止片１７Ａと係止片１７Ｃとに掛け渡す。この際、図５に示すようにパイプ２０とパイプ挿入部１５との境界部分に環状ゴム部材５０が周状に接触するように掛け渡す。このように環状ゴム部材５０を係止片１７Ａと係止片１７Ｃとに単に掛け渡すだけで簡単にパイプ取付部材１０とパイプ２０とを装着することができる。そして、水勾配を持たせるようにパイプ２０の傾斜を調整する。以上によりパイプ２０のパイプ取付部材１０への取り付けが完了する。
【００２６】
なお、パイプ２０に水勾配を持たせるためにパイプ２０の外壁２側を下方に傾斜させる観点から、環状ゴム部材５０をパイプ２０の上半円側を通過するように掛け渡す例を示したが、必ずしも上半円側でなくてもよく、下半円側でも良い。また、パイプ２０とパイプ挿入部１５との境界部分をパイプ２０の軸方向に跨ぐようにして環状ゴム部材５０を配置する関係上、環状ゴム部材５０としては、短冊状のゴム材を環状に形成する等して、ある程度の幅を有するものが好ましい。
【００２７】
続いて、換気装置の設置完了までの手順について図１〜図４を参照して説明する。
以上のようにしてパイプ２０をパイプ取付部材１０に取り付けた後、これらを上述のようにして柱３に取り付ける。その後、外壁設置工事が行われる。外壁設置工事の際には、その振動がパイプ２０に伝わるため、パイプ２０とパイプ取付部材１０との装着強度が十分でないと、パイプ２０がパイプ挿入部１５に対して回動してしまい、最終的にはパイプ取付部材１０から外れてしまう可能性がある。しかし、本考案のパイプ取付構造では、パイプ２０とパイプ挿入部１５との境界部分に環状ゴム部材５０が周状に接触するように環状ゴム部材５０が係止片１７に掛け渡されているため、前記境界部分に環状ゴム部材５０の摩擦力及び弾性力が加わり、パイプ２０がパイプ挿入部１５に対して十分な装着強度で装着されている。よって、パイプ２０がパイプ挿入部１５に対して回動するのを防止でき、パイプ２０がパイプ挿入部１５から抜け落ちるのを防止することが可能となっている。
【００２８】
そして、外壁工事後に内壁１の取り付け工事及び内装工事が行われる。そして、内壁１に開口１ａを形成する。このとき、作業者は、設計図面によってある程度、パイプ２０の位置を特定した上で、金属探知機を内壁１に向かってかざすことにより、金属探知機が金属シート１９に反応してパイプ２０の位置を特定することができる。そして、作業者はパイプ２０の位置に合わせて開口１ａを形成する。
【００２９】
そして、上述の換気装置の設置手順の概要説明では省略したが、パイプ取付部材１０を柱３に取り付けた後の施工工程において、室外２００と連通する穴を全て塞いだ状態で室内１００の気密性の検査が行われる。この気密検査の際には、パイプ取付部材１０の貫通穴１４も当然のことながら塞ぐ必要があるが、本考案のパイプ取付部材１０では、貫通穴１４は既に気密シート１８で塞がれている。このため、貫通穴１４にガムテープを貼る等の従来必要であった作業が不要となり、気密検査時の手間を削減できる。そして、気密性の検査後、気密シート１８を剥がす又は気密シート１８に穴を空けて通気を確保し、最後に、上述したようにして化粧パネル３０を装着する。以上により、換気装置の設置が完了する。
【００３０】
以上説明したように、本考案によれば、パイプ取付部材１０に設けた係止片１７に単に環状ゴム部材５０を掛け渡すだけでパイプ挿入部１５とパイプ２０とを回動不能に装着することができる。よって、換気装置の設置作業者による取付作業を簡易化することができる。
【００３１】
また、パイプ取付部材１０に貫通穴１４を塞ぐ気密シート１８を貼り付けておくようにしたので、気密検査の際に換気装置の貫通穴１４にガムテープを貼る等の従来必要であった作業が不要となり、気密検査時の手間を軽減することができる。
【００３２】
また、パイプ取付部材１０に金属シート１９を貼り付けておき、パイプ２０の位置を内壁１取付後の室内１００側から探知可能としたので、パイプ２０位置に合わせて内壁１に開口１ａを形成する際の作業時間の短縮化及び作業者の手間軽減が可能となる。
【００３３】
以上説明したように、本考案によれば、換気装置の設置時や気密性検査時にそれぞれの作業者に対して利便性の高いパイプ取付部材１０及びパイプ取付構造を提供できる。
【００３４】
また、パイプ取付部材１０の何れか一つの係止片１７に環状ゴム部材５０を予め離脱不能に取り付けておき、取付作業時には１回の係止作業で取り付けが完了するようにしてもよい。この場合、更に取付作業を簡略化することができる。
【００３５】
なお、上記では、パイプ取付部材１０を樹脂で構成すると説明したが、樹脂に限られた物ではなく木製としてもよい。図６は、木製とした場合の一例であり、図６において、図１〜図５と同一機能部分には同一符号を付している。木製とした場合、内壁用取付部１１の厚みを厚くし、内壁用取付部１１の中心部に貫通孔を形成することで、貫通孔の内周面をパイプ挿入部１５として機能させてもよい。
【００３６】
また、金属シート１９の形状や貼付位置は特に限定するものではなく、図４や図６に示すように帯状に構成して気密シート１８の表面に貼っても良いし、パイプ取付部材１０に直接貼っても良い。
【００３７】
また、本例では、パイプ２０の外周の半周分を環状ゴム部材５０に接触させるようにしたが、更にパイプ２０とパイプ取付部材１０との取付状態を強固なものとするために、更に長く接触させるようにしてもよい。
【００３８】
また、本実施の形態の換気装置は、換気ファンが付いていない自然換気タイプのものを図示したが、室内１００の空気を外部に排気する換気ファンを有する強制換気タイプの換気装置にも本考案を適用できる。
【符号の説明】
【００３９】
１  内壁、１ａ  開口、２  外壁、２ａ  開口、３  柱、４  防水シート、１０  パイプ取付部材、１１  内壁用取付部、１２  柱用取付部、１３  挿通孔、１３ａ  ネジ、１４  貫通穴、１５  パイプ挿入部、１６  突部、１６ａ  ネジ穴、１７（１７Ａ〜１７Ｄ）  係止片、１８  気密シート、１９  金属シート、２０  パイプ、３０  化粧パネル、３１  化粧パネル本体、３２  通気口、３３  開閉蓋、３３ａ  フィルター、３４  円筒部、３５  フランジ部、３６  ネジ、３７  挿通穴、４０  排気ダクト、５０  環状ゴム部材、１００  室内、２００  室外。
【図１】
0003157093.tif 000003
【図２】
0003157093.tif 000004
【図３】
0003157093.tif 000005
【図４】
0003157093.tif 000006
【図５】
0003157093.tif 000007
【図６】
0003157093.tif 000008